【手続補正書】
【提出日】平成20年1月24日(2008.1.24)
【手続補正１】
【補正対象書類名】特許請求の範囲
【補正対象項目名】全文
【補正方法】変更
【補正の内容】
【特許請求の範囲】
【請求項１】
パンニング状態であると判別されたときに所定のパンニング制御特性でパンニング制御する撮像装置であって、撮影時におけるシャッタ速度を設定するシャッタ速度設定手段と、前記撮像装置の振れを検出する振れ検出手段と、前記振れに対する補正量を演算する補正量演算手段と、前記補正量に基づいて、シフトレンズを駆動することにより前記振れを補正する振れ補正手段とを備える撮像装置において、
前記シャッタ速度設定手段により設定されたシャッタ速度及び前記補正量に基づいて前記撮像装置が前記パンニング状態にあるか否かを判別するパンニング判別手段と、前記設定されたシャッタ速度が遅くなるに従って大きくなるように設定されている閾値を前記補正量が越えるまで前記パンニング判別手段が前記パンニング状態を判別しないように、前記シャッタ速度設定手段により設定されたシャッタ速度及び前記補正量に基づいて前記パンニング制御特性を変更するパンニング制御特性変更手段とを備えることを特徴とする撮像装置。
【請求項２】
撮影に用いられるレリーズスイッチを有するレリーズ手段をさらに備え、前記レリーズスイッチが操作された後、前記レリーズスイッチの操作が解除されるまで、前記パンニング判別手段は前記シャッタ速度設定手段により設定されたシャッタ速度及び前記補正量に基づいて前記撮像装置が前記パンニング状態にあるか否かを判別することを特徴とする請求項１記載の撮像装置。
【請求項３】
前記パンニング制御特性は、前記補正量が増加するに従って前記パンニング制御に用いられるカットオフ周波数が高くなるように設定されていることを特徴とする請求項１又は２記載の撮像装置。
【請求項４】
前記補正量に対する前記パンニング制御に用いられるカットオフ周波数の増加率は、前記シャッタ速度設定手段により設定されたシャッタ速度が遅くなるのに従って大きくなることを特徴とする請求項３記載の撮像装置。
【請求項５】
前記補正量に対する前記パンニング制御に用いられるカットオフ周波数の増加率は、所定の補正量で変更されることを特徴とする請求項３又は４記載の撮像装置。
【請求項６】
パンニング状態であると判別されたときに所定のパンニング制御特性でパンニング制御する撮像装置の撮像方法であって、撮影時におけるシャッタ速度を設定するシャッタ速度設定ステップと、前記撮像装置の振れを検出する振れ検出ステップと、前記振れに対する補正量を演算する補正量演算ステップと、前記補正量に基づいて、シフトレンズを駆動することにより前記振れ検出ステップで検出された撮像装置の振れを補正する振れ補正ステップとを備える撮像方法において、前記シャッタ速度設定ステップで設定されたシャッタ速度及び前記補正量に基づいて前記撮像装置が前記パンニング状態にあるか否かを判別するパンニング判別ステップと、前記設定されたシャッタ速度が遅くなるに従って大きくなるように設定されている閾値を前記補正量が越えるまで前記パンニング判別ステップで前記パンニング状態が判別されないように、前記シャッタ速度設定ステップで設定されたシャッタ速度及び前記補正量に基づいて前記パンニング制御特性を変更するパンニング制御特性変更ステップとを備えることを特徴とする撮像方法。
【請求項７】
撮影に用いられるレリーズスイッチが操作された後、前記レリーズスイッチの操作が解除されるまで、前記パンニング判別ステップは前記シャッタ速度設定ステップで設定されたシャッタ速度及び前記補正量に基づいて前記撮像装置が前記パンニング状態にあるか否かを判別することを特徴とする請求項７記載の撮像方法。
【請求項８】
前記パンニング制御特性は、前記補正量が増加するに従って前記パンニング制御に用いられるカットオフ周波数が高くなるように設定されていることを特徴とする請求項６又は７記載の撮像方法。
【請求項９】
前記補正量に対する前記パンニング制御に用いられるカットオフ周波数の増加率は、前記シャッタ速度設定ステップで設定されたシャッタ速度が遅くなるのに従って大きくなることを特徴とする請求項８記載の撮像方法。
【請求項１０】
前記補正量に対する前記パンニング制御に用いられるカットオフ周波数の増加率は、所定の補正量で変更されることを特徴とする請求項８又は９記載の撮像方法。
【請求項１１】
パンニング状態であると判別されたときに所定のパンニング制御特性でパンニング制御する撮像装置の撮像方法をコンピュータに実行させる撮像プログラムであって、前記撮像方法が、撮影時におけるシャッタ速度を設定するシャッタ速度設定ステップと、前記撮像装置の振れを検出する振れ検出ステップと、前記振れに対する補正量を演算する補正量演算ステップと、前記補正量に基づいて、シフトレンズを駆動することにより前記振れ検出ステップで検出された撮像装置の振れを補正する振れ補正ステップとを備える撮像プログラムにおいて、前記撮像方法は、前記シャッタ速度設定ステップで設定されたシャッタ速度及び前記補正量に基づいて前記撮像装置が前記パンニング状態にあるか否かを判別するパンニング判別ステップと、前記設定されたシャッタ速度が遅くなるに従って大きくなるように設定されている閾値を前記補正量が越えるまで前記パンニング判別ステップで前記パンニング状態が判別されないように、前記シャッタ速度設定ステップで設定されたシャッタ速度及び前記補正量に基づいて前記パンニング制御特性を変更するパンニング制御特性変更ステップとを備えることを特徴とする撮像プログラム。
【請求項１２】
請求項１１記載の撮像プログラムを格納することを特徴とするコンピュータ読取り可能な記憶媒体。
【手続補正２】
【補正対象書類名】明細書
【補正対象項目名】００１７
【補正方法】変更
【補正の内容】
【００１７】
上記目的を達成するために、請求項１記載の撮像装置は、パンニング状態であると判別されたときに所定のパンニング制御特性でパンニング制御する撮像装置であって、撮影時におけるシャッタ速度を設定するシャッタ速度設定手段と、前記撮像装置の振れを検出する振れ検出手段と、前記振れに対する補正量を演算する補正量演算手段と、前記補正量に基づいて、シフトレンズを駆動することにより前記振れを補正する振れ補正手段とを備える撮像装置において、前記シャッタ速度設定手段により設定されたシャッタ速度及び前記補正量に基づいて前記撮像装置が前記パンニング状態にあるか否かを判別するパンニング判別手段と、前記設定されたシャッタ速度が遅くなるに従って大きくなるように設定されている閾値を前記補正量が越えるまで前記パンニング判別手段が前記パンニング状態を判別しないように、前記シャッタ速度設定手段により設定されたシャッタ速度及び前記補正量に基づいて前記パンニング制御特性を変更するパンニング制御特性変更手段とを備えることを特徴とする。
【手続補正３】
【補正対象書類名】明細書
【補正対象項目名】００１８
【補正方法】変更
【補正の内容】
【００１８】
上記目的を達成するために、請求項６記載の撮像方法は、パンニング状態であると判別されたときに所定のパンニング制御特性でパンニング制御する撮像装置の撮像方法であって、撮影時におけるシャッタ速度を設定するシャッタ速度設定ステップと、前記撮像装置の振れを検出する振れ検出ステップと、前記振れに対する補正量を演算する補正量演算ステップと、前記補正量演算ステップで演算された撮像装置の振れ補正量に基づいてシフトレンズを駆動することにより前記振れ検出ステップで検出された撮像装置の振れを補正する振れ補正ステップとを備える撮像方法において、前記シャッタ速度設定ステップで設定されたシャッタ速度及び前記補正量に基づいて前記撮像装置が前記パンニング状態にあるか否かを判別するパンニング判別ステップと、前記設定されたシャッタ速度が遅くなるに従って大きくなるように設定されている閾値を前記補正量が越えるまで前記パンニング判別ステップで前記パンニング状態が判別されないように、前記シャッタ速度設定ステップで設定されたシャッタ速度及び前記補正量に基づいて前記パンニング制御特性を変更するパンニング制御特性変更ステップとを備える。
【手続補正４】
【補正対象書類名】明細書
【補正対象項目名】００１９
【補正方法】変更
【補正の内容】
【００１９】
上記目的を達成するために、請求項１１記載の撮像プログラムは、パンニング状態であると判別されたときに所定のパンニング制御特性でパンニング制御する撮像装置の撮像方法をコンピュータに実行させる撮像プログラムであって、前記撮像方法が、前記撮像装置の撮影時におけるシャッタ速度を設定するシャッタ速度設定ステップと、前記撮像装置の振れを検出する振れ検出ステップと、前記振れに対する補正量を演算する補正量演算ステップと、前記補正量に基づいて、シフトレンズを駆動することにより前記振れ検出ステップで検出された撮像装置の振れを補正する振れ補正ステップとを備える撮像プログラムにおいて、前記撮像方法は、前記シャッタ速度設定ステップで設定されたシャッタ速度及び前記補正量に基づいて前記撮像装置が前記パンニング状態にあるか否かを判別するパンニング判別ステップと、前記設定されたシャッタ速度が遅くなるに従って大きくなるように設定されている閾値を前記補正量が越えるまで前記パンニング判別ステップで前記パンニング状態が判別されないように、前記シャッタ速度設定ステップで設定されたシャッタ速度及び前記補正量に基づいて前記パンニング制御特性を変更するパンニング制御特性変更ステップとを備えることを特徴とする。